(57)【要約】【課題】外観性の向上と異物の侵入を好適に防ぐことができるカバー部材構造を備えたリラックス装置を提供する。【解決手段】揺動駆動装置１２を覆うケース部材１４と身体支持部材を構成する背もたれ部３１及び座部３０との間で、揺動駆動装置１２に対する身体支持部材の揺動動作に追従するとともに、両者に跨って取着され、両者の隙間を閉塞するカバー部材４０が設けられる。そして、このカバー部材４０は、内側カバー４１と、この内側カバー４１を覆うとともに内側カバー４１よりも伸縮性を有する外側カバー４２とで構成される。【選択図】図２
2010246833.tif 000002
【特許請求の範囲】
【請求項１】
使用者の身体を支持する座部を有する身体支持手段と、該身体支持手段を一方向に揺動動作させる揺動駆動手段と、該揺動駆動手段を制御してリラックス揺動を行う制御手段とを備えたリラックス装置であって、
前記揺動駆動手段を覆うケース部材と前記身体支持手段との間で、前記揺動駆動手段に対する前記身体支持手段の揺動動作に追従するとともに、両者に跨って取着され、両者の隙間を閉塞するカバー部材が設けられており、
前記カバー部材は、内側カバーと、該内側カバーを覆うとともに該内側カバーよりも伸縮性を有する外側カバーとで構成されたことを特徴とするリラックス装置。
【請求項２】
請求項１に記載のリラックス装置において、
前記外側カバーは、前記揺動動作の揺動方向に沿った側面が前記身体支持手段の揺動方向と同一方向に張設されたことを特徴とするリラックス装置。
【請求項３】
請求項１又は２に記載のリラックス装置において、
前記身体支持手段は、前記座部に対して傾動可能に設けられる背もたれ部を備え、
前記背もたれ部は、その背もたれ部本体の全体を表皮材にて覆う態様で構成されるものであり、
前記表皮材は、前記カバー部材と一体に構成されたことを特徴とするリラックス装置。
【請求項４】
請求項１〜３のいずれか一項に記載のリラックス装置において、
前記身体支持手段は、前記座部に対して傾動可能に設けられる背もたれ部を備え、
前記カバー部材は、前記背もたれ部と連続する部位を弛ませた状態で構成されたことを特徴とするリラックス装置。
【請求項５】
請求項１〜４のいずれか一項に記載のリラックス装置において、
前記カバー部材は、線ファスナを用いて分割可能とされたことを特徴とするリラックス装置。
【発明の詳細な説明】
【技術分野】
【０００１】
本発明は、使用者にリラックス効果を付与するリラックス装置に関するものである。
【背景技術】
【０００２】
従来、例えば特許文献１に示すように、使用者の身体を支持する身体支持手段を前後方向に揺動させる揺動駆動手段と、身体支持手段の揺動動作の振幅を変更するように揺動駆動手段を制御する制御手段とを備え、揺動動作の振幅を適宜変化させることで使用者にリラックス効果を付与するリラックス装置がある。
【先行技術文献】
【特許文献】
【０００３】
【特許文献１】特開２０００−３００３７４号公報
【発明の概要】
【発明が解決しようとする課題】
【０００４】
ところで、上記のようなリラックス装置において、リラックス装置の揺動駆動手段を覆うケース部材と身体支持手段との間には、身体支持手段とケース部材とが干渉しないように隙間が設けられている。そして、この隙間から揺動駆動手段を構成する各部材が露出しないよう両者の隙間を閉塞する例えば布地等で構成された１つのカバー部材を設けた構成が考えられる。
【０００５】
上記の様な構成において、伸縮性を有するカバー部材を使用することにより、例えば装置としての外観性を向上させるべくカバー部材を身体支持手段の停止位置において均等に張設したとしても身体支持手段の揺動動作に追従した動作（変形）が可能となる。しかしながら、カバー部材が伸縮性を有しているため、例えば外部から異物によってカバー部材を押し込まれるなど異物の侵入を防ぎにくかった。そして、このカバー部材を押し込んでの異物の侵入によって揺動駆動手段が破損に至ったり、揺動中の安全性への影響が懸念されていた。
【０００６】
つまり、これまでのリラックス装置では、カバー部材によって外観性を向上させつつ異物の侵入を好適に防ぐということは難しく、これらのことを改善できるカバー部材の構造を備えたリラックス装置の開発が望まれている。
【０００７】
本発明は、上記課題を解決するためになされたものであって、その目的は、外観性の向上と異物の侵入を好適に防ぐことができるカバー部材構造を備えたリラックス装置を提供することにある。
【課題を解決するための手段】
【０００８】
上記課題を解決するために、請求項１に記載の発明は、使用者の身体を支持する座部を有する身体支持手段と、該身体支持手段を一方向に揺動動作させる揺動駆動手段と、該揺動駆動手段を制御してリラックス揺動を行う制御手段とを備えたリラックス装置であって、前記揺動駆動手段を覆うケース部材と前記身体支持手段との間で、前記揺動駆動手段に対する前記身体支持手段の揺動動作に追従するとともに、両者に跨って取着され、両者の隙間を閉塞するカバー部材が設けられており、前記カバー部材は、内側カバーと、該内側カバーを覆うとともに該内側カバーよりも伸縮性を有する外側カバーとで構成されたことをその要旨とする。
【０００９】
この発明では、揺動駆動手段を覆うケース部材と前記身体支持手段との間で、揺動駆動手段に対する身体支持手段の揺動動作に追従するとともに、両者に跨って取着され、両者の隙間を閉塞するカバー部材が設けられる。そして、このカバー部材は、内側カバーと、この内側カバーを覆うとともに内側カバーよりも伸縮性を有する外側カバーとで構成される。つまり、複数のカバー部材を用いることで、カバー部材が設けられた部位から異物等がカバー部材を押し込まれて揺動駆動手段まで侵入するといったことを防ぐことができる。特に内側カバーが外側カバーよりも伸縮性の無い素材であるために、異物等が揺動駆動手段側（内部側）に侵入することをより好適に防ぐことができる。また、外側カバーが内側カバーよりも伸縮性を有しているため、この外側カバーに対して皺の無い程度のテンションがかかるように張設することで皺が無くなり、装置全体としての外観性を向上させることができる。
【００１０】
請求項２に記載の発明は、請求項１に記載のリラックス装置において、前記外側カバーは、前記揺動動作の揺動方向に沿った側面が前記身体支持手段の揺動方向と同一方向に張設されたことをその要旨とする。
【００１１】
この発明では、外側カバーは、揺動動作の揺動方向に沿った側面が身体支持手段の揺動方向と同一方向において皺のない様に張設されることで、揺動中でも外側カバーに対してテンションがかかってものない状態を維持でき、装置としての外観性をより向上させることができる。
【００１２】
請求項３に記載の発明は、請求項１又は２に記載のリラックス装置において、前記身体支持手段は、前記座部に対して傾動可能に設けられる背もたれ部を備え、前記背もたれ部は、その背もたれ部本体の全体を表皮材にて覆う態様で構成されるものであり、前記表皮材は、前記カバー部材と一体に構成されたことをその要旨とする。
【００１３】
この発明では、身体支持手段は、座部に対して傾動可能に設けられる背もたれ部が備えられる。そして、背もたれ部は、その背もたれ部本体の全体を表皮材にて覆う態様で構成される。更に、背もたれ部本体を覆う表皮材は、カバー部材と一体に構成される。このように、カバー部材と背もたれ部本体を覆う表皮材とが一体に構成されるため、カバー部材取り付け時に表皮材とカバー部材との取り付け構造を別途設ける必要が無くなり、部品点数を削減や不必要な部品の露出を抑えて外観性を向上させることが可能となる。また、特に傾動可能な背もたれ部であるために、カバー部材にて背もたれ部と座部との取り付け構造を隠蔽させることができるため、別途隠蔽部材を設ける必要が無く部品点数を抑えつつ、より装置としての外観性を向上させることができる。
【００１４】
請求項４に記載の発明は、請求項１〜３のいずれか一項に記載のリラックス装置において、前記身体支持手段は、前記座部に対して傾動可能に設けられる背もたれ部を備え、前記カバー部材は、前記背もたれ部と連続する部位を弛ませた状態で構成されたことをその要旨とする。
【００１５】
この発明では、身体支持手段は、座部に対して傾動可能に設けられる背もたれ部が備えられる。そして、カバー部材は、背もたれ部と連続する部位を弛ませた状態で構成される。このように、カバー部材の背面部位という比較的使用者の目線に入りにくい部位を弛ませた状態とすることで、背もたれ部の傾動によってカバー部材に対し大きなテンションがかかることを抑制でき傾動可能な背もたれ部の動作を許容できる。
【００１６】
請求項５に記載の発明は、請求項１〜４のいずれか一項に記載のリラックス装置において、前記カバー部材は、線ファスナを用いて分割可能とされたことをその要旨とする。
この発明では、カバー部材は、線ファスナを用いて分割可能とされる。このように線ファスナを用いて分割可能とすることで、カバー部材を身体支持手段及びケース部材間に取り付ける際の取り付けを容易とすることができる。
【発明の効果】
【００１７】
本発明によれば、外観性の向上と異物の侵入を好適に防ぐことができるカバー部材構造を備えたリラックス装置を提供することができる。
【図面の簡単な説明】
【００１８】
【図１】本実施形態におけるリラックス装置の揺動駆動装置について説明するための説明図である。
【図２】（ａ）はリラックス装置の概略構成図であり、（ｂ）はカバー部材の断面図である。
【発明を実施するための形態】
【００１９】
以下、本発明を具体化した一実施形態を図面に従って説明する。
図１及び図２（ａ）は、本実施形態のリラックス装置の概略構成図を示す。図１に示すように、リラックス装置１０は、その基台１１の底部１１ａが図示しない床面に載置されるとともに、基台１１に設けられた揺動駆動手段としての揺動駆動装置１２と、この揺動駆動装置１２により揺動される身体支持手段としての身体支持部材１３とを備えている。
【００２０】
揺動駆動装置１２は、その外周の大半がケース部材１４によって覆われており、モータ２０と、減速機２１と、クランク機構２２と、リンク部材２３とから構成されている。
モータ２０は、基台１１の底部１１ａ上面に設けられるとともに、前記底部１１ａ上面に設けられる制御手段としての制御部２４によりその駆動が制御されている。減速機２１は、基台１１の底部１１ａ上面に設けられるとともに、前記モータ２０と駆動連結され、モータ２０の駆動力を減速出力するものである。また、モータ２０には、エンコーダ等の位置センサ（図示略）が設けられており、その位置センサはその回転数及び回転位置を検出するようになっている。
【００２１】
クランク機構２２は、クランク部材２２ａとロッド部材２２ｂとから構成されるとともに、減速機２１の回転駆動を半径の極めて大きな円弧運動に変換するものである。クランク部材２２ａは、その基端が減速機２１の出力軸と一体回転可能に接続されるとともに、その先端がロッド部材２２ｂの基端と回転可能に接続されている。ロッド部材２２ｂの先端は、身体支持部材１３が固定される四角枠状のベース部２５の下部と接続されている。
【００２２】
前記基台１１には、その底部１１ａから上方向に突設される支持枠１１ｂが備えられており、２つのリンク部材２３はそれらの基端が各支持枠１１ｂ上部に所定間隔を有して回転可能に連結されるとともに、各先端がベース部２５の下部と回転可能に連結されている。つまり、この２本のリンク部材２３は、基端を中心として回動するようになっており、クランク機構２２からの駆動力を基に、ベース部２５に固定される身体支持部材１３をロッキングチェア等のように前後方向に揺動させている。
【００２３】
ベース部２５の上部には、身体支持部材１３を構成する座部３０がベース部２５と一体移動可能に固定されている。また、座部３０の後部には身体支持部材１３を構成する背もたれ部３１が、座部３０の前部には身体支持部材１３を構成するオットマン３２がそれぞれ傾動可能に設けられている。
【００２４】
また、身体支持部材１３の座部３０とケース部材１４との間において、揺動動作時における互いの干渉を防ぐべく所定の隙間が設けられている。そして、その隙間から揺動駆動装置１２の各部材２０〜２３を直接露出させないように、前記ケース部材１４の上端から身体支持部材１３に跨ってストレッチ素材の生地からなるカバー部材４０が設けられている。
【００２５】
カバー部材４０は、図２（ｂ）に示すように、比較的伸縮性の低い内側カバー４１と、この内側カバー４１の外側を覆うとともに内側カバー４１よりも伸縮性の高い外側カバー４２とで構成され、内側カバー４１及び外側カバー４２が重ねられた状態でこれらカバー４１，４２の端部がケース部材１４、座部３０及び背もたれ部３１に固定されている。カバー部材４０を構成する内側及び外側カバー４１，４２は、図２（ｂ）に示すように前記ケース部材１４の上端周囲に沿って四角環状となるように構成されている。
【００２６】
内側カバー４１は、その左右対となる各側面４１ａの前後方向所定位置で分割された前側分割部４３ａと後側分割部４３ｂとで構成されている。また、外側カバー４２は、内側カバー４１同様に左右対となる各側面４２ａの前後方向所定位置で分割された前側分割部４４ａと後側分割部４４ｂとで構成されている。そして、これら内側及び外側カバー４１，４２の前側分割部４３ａ，４４ａ及び後側分割部４３ｂ，４４ｂの分割位置には上下方向に沿って線ファスナ４５が取り付けられており、この線ファスナ４５にて前側分割部４３ａ，４４ａ及び後側分割部４３ｂ，４４ｂが接続されている。
【００２７】
そして、内側及び外側カバー４１，４２の前側分割部４３ａ，４４ａの上端側が座部３０の下面と接続され、後側分割部４３ｂ，４４ｂの上端側が背もたれ部３１の下面と接続されている。また、内側及び外側カバー４１，４２の後側分割部４３ｂ，４４ｂは、背もたれ部３１を構成する例えば樹脂製の背もたれ部本体３１ａを覆う表皮材３１ｂと例えば縫製により一体となるように構成されている。尚、本実施形態では、身体支持部材１３を構成する座部３０及びオットマン３２は、背もたれ部３１同様にそれら各本体部（座部本体部及びオットマン本体部）３０ａ，３２ａを表皮材３０ｂ，３２ｂにて覆うように構成されている。
【００２８】
また、内側及び外側カバー４１，４２は、後側分割部４３ｂ，４４ｂの後部側で背もたれ部３１と連続する背面部位４６に所定の弛みを設けた弛緩状態となるように配置されている。このため、背もたれ部３１を傾動させてもその傾動動作を許容できるようになっている。
【００２９】
また、内側カバー４１の外側に位置する外側カバー４２の左右の側面４２ａ側は、揺動方向と同一方向、つまり前後方向にテンションがかかるように張設されている。そして、内側カバー４１は、身体支持部材１３の座部３０の揺動動作停止した停止位置（例えば揺動動作の最下位置）において皺の無いように張設されている。
【００３０】
上記の様に構成されたリラックス装置１０では、制御部２４により、揺動駆動装置１２のモータ２０が制御されて、所定の揺動範囲内で身体支持部材１３を前後方向に緩やかに揺動動作させるリラックス揺動を行うようになっている。また、本実施形態のリラックス装置１０では、制御部２４により揺動動作の周波数や振幅が所定時間において変更されたり、背もたれ部３１及びオットマン３２の角度が適宜変更されたり等、よりリラックスできる体勢や揺動動作を行うようになっている。
【００３１】
また、本実施形態のリラックス装置１０では、身体支持部材１３を構成する座部３０とケース部材１４の間の隙間をストレッチ素材からなる生地で構成された内側及び外側カバー４１，４２にて隠蔽している。このように、２枚の内側及び外側カバー４１，４２が設けられているため揺動駆動装置１２側（内部側）への異物等の進入を抑えることができる。特に内側カバー４１が外側カバー４２よりも伸縮性の無い素材であるために、異物等が揺動駆動装置１２側（内部側）に進入することをより抑制することができる。また、例えば使用者等の身体が揺動駆動装置１２側（内部側）に侵入することを防ぐことができ、装置１０としての安全性の確保も十分にできる。また、外側に位置する外側カバー４２が内側カバー４１よりも伸縮性を有しているため、外側カバー４２を皺の無い程度のテンションがかかるように張設することで皺がなくなり、装置１０としての外観性を向上させることができる。
【００３２】
また、外側カバー４２は、その側面４２ａが身体支持部材１３の揺動方向（前後方向）と同一方向に皺の無いように張設されることで、揺動中でも外側カバー４２に対してテンションがかかって皺のない状態を維持でき、装置としての外観性を向上させることができる。
【００３３】
更に、座部３０に対して傾動可能な背もたれ部３１を構成する背もたれ部本体３１ａが表皮材３１ｂにて覆われ、更にその表皮材３１ｂがカバー部材４０と一体に構成されている。これにより、カバー部材４０を取り付ける際に表皮材３１ｂとカバー部材４０との取り付け構造を新たに必要としないため、部品点数を削減や不必要な部品の露出を抑えて外観性を向上させることが可能となる。特に傾動可能な背もたれ部３１であるために、カバー部材４０にて背もたれ部３１と座部３０との取り付け構造を隠蔽させることができるため、別途隠蔽部材を設ける必要が無く部品点数を抑えつつ、より装置１０としての外観性を向上させることができる。
【００３４】
カバー部材４０は、背もたれ部３１と連続する背面部位４６を弛ませて弛緩状態となるように構成される。このように、カバー部材４０の背面部位４６という比較的使用者の目線に入りにくい部位を弛緩状態とすることで、背もたれ部３１の傾動によってカバー部材４０に対し大きなテンションがかかることを抑制でき傾動可能な背もたれ部３１の動作を許容できる。
【００３５】
ここで、本実施形態のリラックス装置１０の座部３０及び背もたれ部３１に関する組み付け工程を説明すると、背もたれ部３１が設けられていない状態の座部３０を前記ベース部２５に組み付けた後に内側及び外側カバー４１，４２の前側分割部４３ａ，４４ａのみが座部３０及びケース部材１４間に取り付けられる。次に、表皮材３１ｂを有する背もたれ部３１が前述したように内側及び外側カバー４１，４２の後側分割部４３ｂ，４４ｂの上端部が縫製等により一体に構成された状態で座部３０の後端部に傾動可能に組み付けられる。その後、後側分割部４３ｂ，４４ｂと前側分割部４３ａ，４４ａとが線ファスナ４５にて接続される。
【００３６】
上述のような組み付け工程を踏まえ、カバー部材４０は、線ファスナ４５を用いて分割可能とされるため、カバー部材４０の取り扱いが容易となり、カバー部材４０を身体支持部材１３及びケース部材１４間に取り付ける際の取り付けを容易とすることができる。
【００３７】
次に、本実施形態の特徴的な作用効果を記載する。
（１）揺動駆動装置１２を覆うケース部材１４と身体支持部材１３を構成する背もたれ部３１及び座部３０との間で、揺動駆動装置１２に対する身体支持部材１３の揺動動作に追従するとともに、両者に跨って取着され、両者の隙間を閉塞するカバー部材４０が設けられる。そして、このカバー部材４０は、内側カバー４１と、この内側カバー４１を覆うとともに内側カバー４１よりも伸縮性を有する外側カバー４２とで構成される。つまり、複数のカバー部材４０（内側及び外側カバー４１，４２）を用いることで、カバー部材４０が設けられた部位から異物等がカバー部材４０を押し込んで揺動駆動装置１２を構成する各部材２０〜２３まで侵入することを防ぐことができる。特に、内側カバー４１が外側カバー４２よりも伸縮性の無い素材であるために、異物等が揺動駆動装置１２側（内部側）に侵入することをより好適に防ぐことができる。また、使用者の身体の進入も同様に防ぐことができる。更に、内側カバー４１の外側に位置する外側カバー４２が内側カバー４１よりも伸縮性を有しているため、この外側カバー４２に対して皺の無い程度のテンションがかかるように張設することで皺が無くなり、装置１０全体としての外観性を向上させることができる。
【００３８】
（２）外側カバー４２は、揺動動作の揺動方向（前後方向）に沿った側面４２ａが身体支持部材１３の揺動方向と同一方向に皺のない様に張設されることで、揺動中でも外側カバーに対してテンションがかかって皺のない状態を維持でき、装置１０としての外観性をより向上させることができる。
【００３９】
（３）身体支持部材１３は、座部３０に対して傾動可能に設けられる背もたれ部３１が備えられる。そして、背もたれ部３１は、その背もたれ部本体３１ａの全体を表皮材３１ｂにて覆う態様で構成される。更に、背もたれ部本体３１ａを覆う表皮材３１ｂは、カバー部材４０（内側及び外側カバー４１，４２）と一体に構成される。このように、カバー部材４０と背もたれ部本体３１ａを覆う表皮材３１ｂとが一体に構成されるため、カバー部材４０取り付け時に表皮材３１ｂとカバー部材４０との取り付け構造を別途設ける必要なくなり、部品点数を削減や不必要な部品の露出を抑えて外観性を向上させることが可能となる。また、特に傾動可能な背もたれ部であるために、カバー部材４０にて背もたれ部３１と座部３０との取り付け構造を隠蔽させることができるため、別途隠蔽部材を設ける必要が無く部品点数を抑えつつ、より装置１０としての外観性を向上させることができる。
【００４０】
（４）カバー部材４０は、背もたれ部３１と連続する背面部位４６を弛ませた状態（弛緩状態）となるように構成される。このように、カバー部材４０の背面部位４６という比較的使用者の目線に入りにくい部位を弛ませた状態とすることで、背もたれ部３１の傾動によってカバー部材４０に対し大きなテンションがかかることを抑制でき傾動可能な背もたれ部３１の傾動動作を許容できる。
【００４１】
（５）カバー部材４０は、線ファスナ４５を用いて分割可能とされる。このように線ファスナ４５を用いて分割可能とすることで、カバー部材４０を身体支持部材１３及びケース部材１４間に取り付ける際の取り付けを容易とすることができる。
【００４２】
尚、本発明の実施形態は、以下のように変更してもよい。
・上記実施形態では、外側カバー４２の左右側面４２ａのテンション方向（張設方向）を揺動方向（前後方向）と同一方向となるように構成したが、これに限らない。
【００４３】
・上記実施形態では、背もたれ部本体３１ａを覆う表皮材３１ｂとカバー部材４０とを一体に構成したが、これに限らず別体に構成してもよい。
・上記実施形態では、カバー部材４０の背もたれ部３１側（後部側）である背面部位４６に所定の弛みを有した弛緩状態となるように構成したが、これに限らずカバー部材４０の背面部位４６に対してテンションをかけた緊張状態に構成してもよい。
【００４４】
・上記実施形態では、線ファスナ４５を用いてカバー部材４０を分割可能に構成したが、これに限らず、その他の部材を用いてカバー部材４０を分割可能に構成してもよい。また、分割不能な構成であってもよい。
【００４５】
・上記実施形態では、カバー部材４０を内側カバー４１及び外側カバー４２の２枚で構成したが、３枚以上であってもよい。
・上記実施形態では、背もたれ部本体３１ａを樹脂にて構成したが、その他の部材を用いてもよい。
【００４６】
・上記実施形態では、身体支持部材１３を前後方向に揺動させる構成としたが、これに限らず、例えば身体支持部材１３を左右方向に揺動させる構成としてもよい。
・上記実施形態では、特に言及していないが、身体支持部材１３の各部にエアバッグを設けて適宜膨縮動作を行ってマッサージ等のリラックス効果を付与する構成を採用してもよい。
【００４７】
・上記実施形態では、特に言及していないが、制御部２４にてモータ２０制御を行って、リラックス揺動後にリラックス揺動時よりも例えば揺動動作の振幅を大きくしたり揺動動作の周波数を高くしたりし、リラックス（睡眠）状態となった使用者Ｍを覚醒させるリフレッシュ揺動を行うように構成してもよい。
【００４８】
・上記実施形態では、特に言及していないが、リラックス揺動やリフレッシュ揺動に対応した音楽や振動を付与する構成を追加してもよい。
【符号の説明】
【００４９】
１０…リラックス装置、１２…揺動駆動手段を構成する揺動駆動装置、１３…身体支持手段を構成する身体支持部材、１４…ケース部材、３０…座部、３１…背もたれ部、３１ａ…背もたれ部本体、３１ｂ…表皮材、４０…カバー部材、４１…内側カバー、４１ａ，４２ａ…側面、４２…外側カバー、４５…線ファスナ、４６…背もたれ部と連続する背面部位、Ｍ…使用者。
【図１】
2010246833.tif 000003
【図２】
2010246833.tif 000004